(57)【要約】      （修正有）【課題】簡単な操作で取り扱うことができる包装用容器を提供する。【解決手段】折り曲げ自在な板状部材で形成される容器本体１２と蓋体３１とからなる包装用容器１１であって、容器本体１２は、底部と、本体側部と、当該本体側部の上方に本体開口部２６とを有し、本体開口部２６を、蓋体３１によって閉鎖・開放するものであって、本体開口部端縁から延在し外方側に折り返されるロック片２４を、天板３１と蓋体固定板３５の天板側の縁部３５ａとの間に形成されるロック受部３７に嵌めて本体開口部２６の閉鎖状態を保持し、ロック片２４をロック受部３７から外して本体開口部２６を開放する。【選択図】図５
0003228628.tif 000002
【実用新案登録請求の範囲】
【請求項１】
折り曲げ自在な板状部材で形成される容器本体と、蓋体と、からなる包装用容器であって、
前記容器本体は、底部と、本体側部と、当該本体側部の上方に本体開口部と、を有し、
前記底部は、多角形状の底板を有し、
前記本体側部は、前記底板に対して起立する第一本体側板と、当該第一本体側板と隣接し、前記底板に対して起立する第二本体側板と、前記第一本体側板と前記第二本体側板との間に、前記第一本体側板又は前記第二本体側板のいずれか一方の外側に固定して、前記第一本体側板及び前記第二本体側板が前記底板に対して起立した状態を保持する本体固定板と、を有し、前記第一本体側板の上端縁及び前記第二本体側板の上端縁が前記本体開口部を形成し、
前記本体開口部は、本体開口部端縁から延在し、外方側に折り返されるロック片を有し、
前記蓋体は、天部と、蓋体側部と、当該蓋体側部の下方に蓋体開口部と、を有し、
前記天部は、前記本体開口部と略同形状の多角形状の天板を有し、
前記蓋体側部は、当該天板から垂下する第一蓋体側板と、当該第一蓋体側板に隣接し、当該天板から垂下する第二蓋体側板と、前記第一蓋体側板と前記第二蓋体側板との間に、前記第一蓋体側板又は前記第二蓋体側板のいずれか一方の内側に固定して、前記第一蓋体側板及び前記第二蓋体側板が前記天板から垂下した状態を保持する蓋体固定板と、を有し、
前記第一蓋体側板の下端縁及び前記第二蓋体側板の下端縁が前記蓋体開口部を形成し、
前記天板と前記蓋体固定板の天板側の縁部との間にロック受部を形成し、
前記本体開口部を、前記蓋体によって閉鎖・開放するものであって、
前記ロック片を前記ロック受部に嵌めて前記本体開口部の閉鎖状態を保持し、前記ロック片を前記ロック受部から外して本体開口部を開放することを特徴とする、包装用容器。
【請求項２】
前記本体側部は、弱め線で囲まれる接着固定領域を有し、当該接着固定領域に接着剤を塗布して前記本体固定板と前記第一本体側板又は前記第二本体側板とを接着固定することを特徴とする、請求項１に記載する包装用容器。
【請求項３】
前記蓋体側部は、弱め線で囲まれる接着固定領域を有し、当該接着固定領域に接着剤を塗布して前記蓋体固定板と前記第一蓋体側板又は前記第二蓋体側板と接着固定することを特徴とする、請求項１又は請求項２に記載する包装用容器。
【請求項４】
前記板状部材は板紙であって、前記弱め線は半切り線であることを特徴とする、請求項２又は請求項３に記載する包装用容器。
【請求項５】
前記本体固定板は、前記第一本体側板及び前記第二本体側板に連続し、前記底板の角部を始点として前記本体固定板を略二等分する位置に折目線を有し、当該折目線で前記本体固定板を二つ折りして、前記第一本体側板又は前記第二本体側板のいずれか一方の外側に固定することを特徴とする、請求項１から請求項４のいずれか一項に記載する包装用容器。
【請求項６】
前記蓋体固定板は、前記第一蓋体側板及び前記第二蓋体側板に連続し、前記天板の角部を始点として前記蓋体固定板を略二等分する位置に折目線を有し、当該折目線で前記蓋体固定板を二つ折りして、前記第一蓋体側板又は前記第二蓋体側板のいずれか一方の内側に固定することを特徴とする、請求項１から請求項５のいずれか一項に記載する包装用容器。
【請求項７】
前記第一本体側板及び前記第二本体側板は、前記底板に対して外方側に傾斜して起立することを特徴とする、請求項１から請求項６のいずれか一項に記載する包装用容器。
【請求項８】
前記第一蓋体側板及び前記第二蓋体側板は、前記天板から外方側に傾斜して垂下することを特徴とする、請求項１から請求項７のいずれか一項に記載する包装用容器。
【考案の詳細な説明】
【技術分野】
【０００１】  本考案は、物品を収容する包装用容器の構造に関し、特に、食品を収容するのに好適な包装用容器の構造に関する。
【背景技術】
【０００２】  従来、底板から起立する複数の側板同士を固着して容器本体を形成し、容器本体の開口を蓋体で閉鎖し、係合手段によって閉鎖状態を保持するものが知られている。【０００３】  例えば、特許文献１に示す包装用容器では、上面を開口させた、有底で、角筒状の側板状部を有する容器本体であって、側板状部は隣り合う側板状部に亙るように備えた接着板状部を側板状部外側に接着して形成している。また、容器本体の開口縁部の四隅に、上方に突き出す突片を設けている。蓋体は、容器本体の開口縁部とほぼ等しい多角形状の上板部と上板部の外周縁から下方に突き出される側板状部とを有しており、側板状部は隣り合う側板状部に亙るように備えた接着板状部を側板状部内側に接着して形成している。また、上板部の四隅に、容器本体の突片が差し込まれる屈曲状のスリットを備えた構成としている。そして、開口を閉鎖する際には、容器本体の開口縁部の四隅に設けた突片を、蓋体の上板部四隅に設けたスリットに差し込んで閉鎖状態を保持する。
【先行技術文献】
【特許文献】
【特許文献１】特開２００２−２６４９２０号公報
【０００４】  しかしながら、特許文献１の包装用容器では、容器本体の開口縁部の四隅に設けた突片を、蓋体の上板部四隅に設けたスリットに各々差し込んで閉鎖状態を保持するため、差し込み作業に手間がかかるという問題がある。また、容器本体、及び蓋体の側板状部を接着板状部で接着して形成しているため、例えば減容廃棄等のために平面展開するには、接着部分を強い力で引き剥がす必要があり、手間が煩雑である。
【考案の概要】
【考案が解決しようとする課題】
【０００５】  本考案は、上記問題を解決すべくなされたものである。本考案の目的は、簡単な操作で取り扱うことができる包装用容器の提供である。
【課題を解決するための手段】
【０００６】  本考案の解決しようとする課題は以上の如くであり、次にこの課題を解決するための手段を説明する。【０００７】  第１の考案では、折り曲げ自在な板状部材で形成される容器本体と、蓋体と、からなる包装用容器であって、
前記容器本体は、底部と、本体側部と、当該本体側部の上方に本体開口部と、を有し、
前記底部は、多角形状の底板を有し、
前記本体側部は、前記底板に対して起立する第一本体側板と、当該第一本体側板と隣接し、前記底板に対して起立する第二本体側板と、前記第一本体側板と前記第二本体側板との間に、前記第一本体側板又は前記第二本体側板のいずれか一方の外側に固定して、前記第一本体側板及び前記第二本体側板が前記底板に対して起立した状態を保持する本体固定板と、を有し、前記第一本体側板の上端縁及び前記第二本体側板の上端縁が前記本体開口部を形成し、
前記本体開口部は、本体開口部端縁から延在し、外方側に折り返されるロック片を有し、
前記蓋体は、天部と、蓋体側部と、当該蓋体側部の下方に蓋体開口部と、を有し、
前記天部は、前記本体開口部と略同形状の多角形状の天板を有し、
前記蓋体側部は、当該天板から垂下する第一蓋体側板と、当該第一蓋体側板に隣接し、当該天板から垂下する第二蓋体側板と、前記第一蓋体側板と前記第二蓋体側板との間に、前記第一蓋体側板又は前記第二蓋体側板のいずれか一方の内側に固定して、前記第一蓋体側板及び前記第二蓋体側板が前記天板から垂下した状態を保持する蓋体固定板と、を有し、
前記第一蓋体側板の下端縁及び前記第二蓋体側板の下端縁が前記蓋体開口部を形成し、
前記天板と前記蓋体固定板の天板側の縁部との間にロック受部を形成し、
前記本体開口部を、前記蓋体によって閉鎖・開放するものであって、
前記ロック片を前記ロック受部に嵌めて前記本体開口部の閉鎖状態を保持し、前記ロック片を前記ロック受部から外して本体開口部を開放することを特徴とする、包装用容器である。【０００８】  第２の考案では、第１の考案であって、前記本体側部は、弱め線で囲まれる接着固定領域を有し、当該接着固定領域に接着剤を塗布して前記本体固定板と前記第一本体側板又は前記第二本体側板とを接着固定することを特徴とする、包装用容器である。【０００９】  第３の考案では、第１又は第２の考案であって、前記蓋体側部は、弱め線で囲まれる接着固定領域を有し、当該接着固定領域に接着剤を塗布して前記蓋体固定板と前記第一蓋体側板又は前記第二蓋体側板と接着固定することを特徴とする、包装用容器。【００１０】  第４の考案では、第２又は第３の考案であって、前記板状部材は板紙であって、前記弱め線は半切り線であることを特徴とする、包装用容器である。【００１１】  第５の考案では、第１から第４のいずれかの考案であって、前記本体固定板は、前記第一本体側板及び前記第二本体側板に連続し、前記底板の角部を始点として前記本体固定板を略二等分する位置に折目線を有し、当該折目線で前記本体固定板を二つ折りして、前記第一本体側板又は前記第二本体側板のいずれか一方の外側に固定することを特徴とする、包装用容器である。【００１２】  第６の考案では、第１から第５のいずれかの考案であって、前記蓋体固定板は、前記第一蓋体側板及び前記第二蓋体側板に連続し、前記天板の角部を始点として前記蓋体固定板を略二等分する位置に折目線を有し、当該折目線で前記蓋体固定板を二つ折りして、前記第一蓋体側板又は前記第二蓋体側板のいずれか一方の内側に固定することを特徴とする、包装用容器である。【００１３】  第７の考案では、第１から第６のいずれかの考案であって、前記第一本体側板と及び前記第二本体側板は、前記底板に対して外方側に傾斜して起立することを特徴とする、包装用容器である。【００１４】  第８の考案では、第１から第６のいずれかの考案であって、前記第一蓋体側板及び前記第二蓋体側板は、前記天板から外方側に傾斜して垂下することを特徴とする、包装用容器である。
【考案の効果】
【００１５】  本考案の効果として、以下に示すような効果を奏する。【００１６】  第１の考案では、本体開口部は、本体開口部端縁から延在し、外方側に折り返されるロック片を有し、蓋体は、天板と蓋体固定板の天板側の縁部との間にロック受部を形成しており、本体開口部に蓋体を被せるだけでロック片がロック受部に嵌って、蓋体の上方への動きを規制して閉鎖状態を保持できる。また、蓋体を持ち上げれば、ロック片がロック受部から外れて開放状態とすることができる。このため、本体開口部を閉鎖・開放する際に、特別な操作が不要で、簡単な操作で取り扱うことができる。【００１７】  第２の考案では、第１の考案の効果に加え、本体固定板と第一本体側板又は第二本体側板とが弱め線で囲まれる接着固定領域で接着固定され、本体固定板を第一本体側板又は第二本体側板から引き剥がす方向に力を加えると、接着剤が塗布された接着固着領域が囲まれた弱め線で容易に破れ、簡単な操作で容器本体を平面展開することができ、廃棄の際に容積を減らすことができる。【００１８】  第３の考案では、第１又は第２の考案の効果に加え、蓋体固定板と第一蓋体側板又は第二蓋体側板とが弱め線で囲まれる接着固定領域で接着固定されるため、蓋体固定板を第一蓋体側板又は第二蓋体側板から引き剥がす方向に力を加えると、接着剤が塗布された接着固着領域が囲まれた弱め線で容易に破れ、簡単な操作で蓋体を平面展開することができ、廃棄の際に容積を減らすことができる。【００１９】  第４の考案では、第２又は第３の考案の効果に加え、包装用容器が板紙で形成され、弱め線は半切り線であるため、本体固定板を第一本体側板又は第二本体側板から引き剥がす方向、又は／及び蓋体固定板を第一蓋体側板又は第二蓋体側板から引き剥がす方向に力を加えると、接着剤が塗布された接着固着領域が囲まれた半切り線によって容易に層間剥離し、簡単な操作で容器本体又は／及び蓋体を平面展開することができる。【００２０】  第５の考案では、第１から第４の考案の効果に加え、本体固定板は、第一本体側板と第二本体側板とに連続し、底板の角部を始点として本体固定板を略二等分する位置に折目線を有し、当該折目線で本体固定板を二つ折りして、第一本体側板又は前記第二本体側板のいずれか一方の外側に固定するため、本体固定板を第一本体側板又は第二本体側板から引き剥がして平面展開とすると、切れ目のない１枚のシート状になり、例えば収容物が食品の場合には、簡単な操作で皿として使用することもできる。【００２１】  第６の考案では、第１から第５の考案の効果に加え、蓋体固定板は、第一蓋体側板と第二蓋体側板とに連続し、天板の角部を始点として蓋体固定板を略二等分する位置に折目線を有し、当該折目線で蓋体固定板を二つ折りして、第一蓋体側板又は第二蓋体側板のいずれか一方の内側に固定するため、蓋体固定板を第一蓋体側板又は第二蓋体側板から引き剥がして平面展開状態とすると、切れ目のない１枚のシート状になり、例えば収容物が食品の場合には、簡単な操作で皿として使用することもできる。【００２２】  第７の考案では、第１から第６の考案の効果に加え、第一本体側板及び第二本体側板を底板に対して外方側に傾斜して起立させているため、ストッ��する際にスタッキングしておくことができ、使用時に都度組み立てる必要がなく、簡単な操作で取り扱うことができる。【００２３】  第８の考案では、第１から第７の考案の効果に加え、第一蓋体側板及び第二蓋体側板を天板から外方側に傾斜して垂下させているため、ストックする際にスタッキングしておくことができ、使用時に都度組み立てる必要がなく、簡単な操作で取り扱うことができる。
【図面の簡単な説明】
【００２４】
【図１】本考案の実施形態にかかる包装用容器１１の組み立て完成状態を示す斜視簡略図。
【図２】展開形成体の包装用容器１１の容器本体１２の平面図。
【図３】展開形成体の包装用容器１１の蓋体３１の平面図。
【図４】組み立て完成状態の容器本体１２に食品を収容し、蓋体３１で閉鎖した状態の斜視簡略図。
【図５】（ａ）組み立て完成状態であって、本体開口部２６を開放した状態の容器本体１２及び蓋体３１の側面図。（ｂ）本体開口部２６を蓋体３１で閉鎖した状態の側面図。
【図６】（ａ）組み立て完成状態の容器本体１２の側面図。（ｂ）容器本体１２の第一本体側板２２から本体固定板２５ａを引き剥がした状態を示す側面図。
【図７】容器本体１２を平面展開して皿として使用する状態を示す斜視簡略図。
【考案を実施するための形態】
【００２５】  次に、本考案の実施の形態について説明する。
【００２６】  本考案の実施形態に係る包装用容器１１について説明する。
【００２７】  本実施形態に係る包装用容器１１は、図１・図４に示すように、容器本体１２の内部に食品を収容し、蓋体３１で本体開口部２６を閉鎖・開放する包装用容器である。容器本体１２は、図２に示す展開形成体を組み立てて形成される。蓋体３１は、図３に示す展開形成体を組み立てて形成される。
【００２８】  本実施形態に係る包装用容器１１は板紙で形成される。
【００２９】  以下では、説明を容易におこなうため、図１での図示右下側を前方とし、左上側を後方とする。また、上下方向は、容器本体１２を組み立てて、底板２１を下にして載置した状態で、本体開口部２６側を上方、底板２１側を下方とし、蓋体３１を組み立てて、本体開口部２６に被せる状態で、天板３２側を上方、蓋体開口部３６側を下方とする。尚、本実施形態の包装用容器１１、及び蓋体３１の平面形状は長方形であるが、正方形等の他の形状に変更してもよい。
【００３０】    図２に示す展開形成体の容器本体１２に従って、包装用容器１１の容器本体１２を構成する部分を説明する。図２は、容器本体１２の内側となる面を紙面手前側として示している。
【００３１】  容器本体１２の内側は、収容する食品の水分の吸収を防ぐため、ＰＰフィルムシートによってラミネートされる。
【００３２】  底板２１は、容器本体１２の底部を構成する部分であり、長方形に形成される。底板２１の左右端縁には、容器本体１２の本体側部を構成する、左右一対の側板である第一本体側板２２が折目線４１を介してそれぞれ連設される。第一本体側板２２は、折目線４１から上方（図示左右側）に向かうに従って幅が広くなる台形状に形成される。底板２１の前後端縁（図示上下端縁）には、容器本体１２の本体側部を構成する、前後一対の側板である第二本体側板２３が折目線４２を介してそれぞれ連設される。第二本体側板２３は、折目線４２から上方（図示上下側）に向かうに従って幅が広くなる台形状に形成される。第一本体側板２２の上端縁（図示左右端）及び第二本体側板２３の上端縁（図示上下端）は、本体開口部２６を構成する部分である。
【００３３】  一対の第一本体側板２２の外側の前後端側（図示上下端側）には、後述する第一本体固定板２５ａの外側と第一本体側板２２の外側とを接着固定する接着固定領域Ｓが設けられ、この接着固定領域Ｓは、弱め線である半切り線Ｈで円形に囲まれている。半切り線Ｈは、第一本体側板２２の外側から板紙の中間層までを切り込んで（板紙の内側まで貫通せず）形成される。
【００３４】  また、一対の第二本体側板２３の上端縁（図示上下端縁）には、ロック片２４が折目線４３を介して連設される。ロック片２４の左右端は、折目線４３と対向する側である自由端側に向かって中央方向に傾斜している。そして、ロック片２４の自由端中央部には凹部が設けられる。
【００３５】  また、第一本体側板２２と第二本体側板２３との間には、本体固定板２５が設けられる。本体固定板２５は、折目線４４を介して第一本体側板２２に連続する第一本体固定板２５ａと、折目線４５を介して第二本体側板２３に連続する第二本体固定板２５ｂとが設けられる。第一本体固定板２５ａと第二本体固定板２５ｂは、折目線４６を介して連続している。折目線４６は、底板２１の角部を始点として本体固定板２５を第一本体固定板２５ａと第二本体固定板２５ｂとに略二等分する位置にある。
【００３６】    次に、容器本体１２を組み立てる手順について説明する。
【００３７】  先ず、折目線４１・４２を谷折りし、底板２１に対して第一本体側板２２、及び第二本体側板２３を起立させる。第一本体側板２２、及び第二本体側板２３の上端縁は本体開口部２６を形成する。
そして、折目線４３を山折りして、ロック片２４を容器本体１２の外方側へ折り返す。
第一本体側板２２に設けられ、半切り線で囲まれた接着固定領域Ｓには、接着剤を塗布する。
【００３８】  次に、折目線４４・４５を山折りし、折目線４６を谷折りし、第一本体固定板２５ａ・２５ｂの内側同士を重ね合せて第一本体側板２２側に折り曲げ、第一本体固定板２５ａの外側と第一本体側板２２の接着固定領域Ｓとを固定すれば、第一本体側板２２と第二本体側板２３の起立が保持され、図１に示す容器本体１２の組み立て完成状態となる。
組み立てが完成した容器本体１２の第一本体側板２２及び第二本体側板２３は、底板２１に対して外方側に傾斜して起立する。
【００３９】  次に、図３に示す展開形成体の蓋体３１に従って、包装用容器１１の蓋体３１を構成する部分を説明する。図３は、蓋体３１の内側となる面を紙面手前側として示している。
【００４０】  蓋体３１の内側には、収容する食品の水分の吸収を防ぐため、後述する窓部３２ａが形成された後に、ＰＰフィルムシートによってラミネートされる。
【００４１】  天板３２は、蓋体３１の天部を構成する部分であり、長方形に形成される。天板３２には、長方形の窓部３２ａが板紙を切り抜いて形成される。窓部３２ａは、ラミネートされたＰＰフィルムシートにより塞がれている。
天板３２の左右端縁には、蓋体３１の蓋体側部を構成する左右一対の側板である第一蓋体側板３３が、折目線５１を介してそれぞれ連設される。第一蓋体側板３３は、折目線５１から下方（図示左右側）に向かうに従って幅が広くなる台形状に形成される。
天板３２の前後端縁（図示上下端縁）には、蓋体３１の蓋体側部を構成する前後一対の側板である第二蓋体側板３４が、折目線５２を介してそれぞれ連設される。第二蓋体側板３４は、折目線５２から下方（図示上下側）に向かうに従って幅が広くなる台形状に形成される。第二蓋体側板３４の下端縁（図示上下端縁）は中央部分を切り欠いて凹形状としている。第一蓋体側板３３の下端縁（図示左右端）及び第二蓋体側板３４の下端縁（図示前後端）は、蓋体開口部３６を構成する部分である。
【００４２】  一対の第一蓋体側板３３の前後端（図示上下端）には、折目線５３を介して蓋体固定板３５が連設される。蓋体固定板３５は、折目線５３に対向する側（図示上下側）の自由端に向かうに従い幅が狭まる台形状に形成される。
【００４３】    次に、蓋体３１を組み立てる手順について説明する。
【００４４】  先ず、折目線５１・５２を谷折りし、天板３２から第一蓋体側板３３、及び第二蓋体側板３４を垂下させる。第一蓋体側板３３、及び第二蓋体側板３４の下端縁は蓋体開口部３６を形成する。
蓋体固定板３５の外側の接着固定領域Ｓには、接着剤を塗布する（図示省略）。
【００４５】  次に、折目線５３を谷折りし、蓋体固定板３５を第二蓋体側板３４の内側に重ね、接着剤を塗布した蓋体固定板３５の外側と第二蓋体側板３４の内側とを固定すれば、第一蓋体側板３３と第二蓋体側板３４は天板３２から垂下した状態が保持され、図１に示す蓋体３１の組み立て完成状態となる。
組み立てが完成した蓋体３１の第一蓋体側板３３及び第二蓋体側板３４は、天板３２から外方側に傾斜して垂下する。また、天板３２の内側と、接着固定された蓋体固定板３５の天板３２側の端部３５ａとの間にはロック受部３７が形成される。
【００４６】  次に、包装用容器１１の使用の状態について説明する。
【００４７】  組み立てが完成した容器本体１２は、第一本体側板２２及び第二本体側板２３が底板２１に対して外方側に傾斜して起立するテーパー形状である。また、蓋体３１は、第一蓋体側板３３及び第二蓋体側板３４が天板３２から外方側に傾斜して垂下するテーパー形状である。したがって、使用するまでは、複数の容器本体１２及び蓋体３１をスタッキングして、省スペースで保管できる。
【００４８】  使用時には、容器本体１２に、例えばフライドポテト等の食品を収容し、蓋体３１を本体開口部２６に被せて閉鎖する。このとき、図５（ａ）（ｂ）に示すように、本体開口部２６から延在して容器本体１２の外側に折り返されたロック片２４は、蓋体３１の第二蓋体側板３４の内側と重なり、ロック片２４の左右端は、蓋体固定板３５の天板３２側の端部３５ａと接触した状態で蓋体３１に形成されたロック受部３７に嵌って、閉鎖状態を保持する。
そして、蓋体３１を持ち上げると、ロック片２４はロック受部３７から外れ、本体開口部２６が開放される。
【００４９】  容器本体１２に収容した食品を食する際は、図６（ａ）（ｂ）に示すように、本体固定板２５ａを第一本体側板２２から引き剥がして平面展開すれば、図７に示すように、他の食器等に移すことなく皿としてそのまま使用することもできる。本体固定板２５ａを第一本体側板２２から引き剥がす際、本体固定板２５と第一本体側板２２は接着固定領域Ｓで固着されているが、接着固定領域Ｓは半切り線Ｈによって囲まれているため、この半切り線Ｈが破れて、半切り線Ｈで囲まれた接着固定領域Ｓは板紙の中間層で剥離して容易に引き剥がれる。
【００５０】  そして、容器本体１２は平面展開されているため、嵩張ることなく減容して廃棄される。
【００５１】  このように、本実施形態の包装用容器１１は、折り曲げ自在な板状部材である板紙で形成される容器本体１２と、蓋体３１と、からなる包装用容器１１であって、容器本体１２は、底部と、本体側部と、当該本体側部の上方に本体開口部２６と、を有し、底部は、長方形の底板２１を有し、本体側部は、底板２１に対して起立する第一本体側板２２と、第一本体側板２２と隣接し、底板２１に対して起立する第二本体側板２３と、第一本体側板２２と第二本体側板２３との間に、第一本体側板２２の外側に固定して、第一本体側板２２及び第二本体側板２３が底板２１に対して起立した状態を保持する本体固定板２５と、を有し、第一本体側板２２の上端縁及び第二本体側板２３の上端縁が本体開口部２６を形成し、本体開口部２６は、本体開口部端縁から延在し、外方側に折り返されるロック片２４を有し、蓋体３１は、天部と、蓋体側部と、当該蓋体側部の下方に蓋体開口部と、を有し、天部は、容器本体開口部２６と略同形状の長方形の天板３２を有し、蓋体側部は、天板３２から垂下する第一蓋体側板３３と、第一蓋体側板３３に隣接し、天板３２から垂下する第二蓋体側板３４と、第一蓋体側板３３と第二蓋体側板３４との間に、第二蓋体側板３４の内側に固定して、第一蓋体側板３３及び第二蓋体側板３４が天板３２から垂下した状態を保持する蓋体固定板３５と、を有し、第一蓋体側板３３の下端縁及び第二蓋体側板３４の下端縁が蓋体開口部３６を形成し、天板３２と蓋体固定板３５の天板３２側の縁部３５ａとの間にロック受部３７を形成し、本体開口部２６を、蓋体３１によって閉鎖・開放するものであって、ロック片２４をロック受部３７に嵌めて本体開口部２６の閉鎖状態を保持し、ロック片２４をロック受部３７から外して本体開口部２６を開放することを特徴とする、包装用容器１１である。
【００５２】  このため、本体開口部２６に蓋体３１を被せるだけでロック片２４の左右端がロック受部３７に嵌って、蓋体３１の上方への動きを規制して閉鎖状態を保持することができる。また、蓋体３１を持ち上げれば、ロック片２４がロック受部から外れ、開放状態とすることができる。このため、本体開口部２６を閉鎖・開放する際に、特別な操作が不要で、簡単な操作で取り扱うことができる。
【００５３】  また、本実施形態の容器本体１２は板紙で形成され、本体側部は、弱め線である半切り線Ｈで囲まれる接着固着領域Ｓを有し、この接着固定領域Ｓに接着剤を塗布して本体固定板２５と第一本体側板２２又は第二本体側板２３とを接着固定する、
【００５４】  このため、本体固定板２５を第一本体側板２２から引き剥がす方向に力を加えると、接着剤が塗布された接着固着領域Ｓが囲まれた半切り線Ｈで破れて板紙の中層間で剥離し、容易に引き剥がして、簡単な操作で容器本体１２を平面展開することができ、廃棄の際には、容積を減らすことができる。
【００５５】  また、本実施形態の包装用容器１１の本体固定板２５は、第一本体側板２２及び第二本体側板２３に連続し、底板２１の角部を始点として本体固定板２５を略二等分する位置に折目線を有し、当該折目線で本体固定板２５を二つ折りして、第一本体側板２２の外側に固定する包装用容器１１である。
【００５６】  このため、本体固定板２５を第一本体側板２２から引き剥がして平面展開とすると、切れ目のない１枚のシート状になり、簡単な操作で皿として使用することもできる。この際、接着固定領域Ｓは半切り線Ｈによって板紙の中間層で剥離し、容器本体１２の内側に透孔や破れが生じていないため、皿としての利用により適している。
【００５７】  また、本実施形態の容器本体１２の第一本体側板２２及び第二本体側板２３は、底板２１に対して外力側に傾斜して起立するテーパー形状であり、さらに、本実施形態の蓋体３１の第一蓋体側板３３及び第二蓋体側板３４は、天板３２から外方側に傾斜して垂下するテーパー形状である。
【００５８】  このため、ストックする際にはスタッキングしておくことができ、使用時に都度組み立てる必要がなく、簡単な操作で取り扱うことができる。
【００５９】  尚、本実施形態の本体固定板２５は、第一本体側板２２と第二本体側板２３とに連続して設けているが、第一本体側板２２又は第二本体側板２３のいずれか一方からのみ連続して設け、他方側の第一本体側板２２又は第二本体側板２３の外側に固定してもよい。
【００６０】  また、本実施形態の蓋体３１の蓋体固定板３５は、第一蓋体側板３３からのみ連続して設けているが、第一蓋体側板３３及び第二蓋体側板３４に連続して設け、天板３２の角部を始点として蓋固定板３５を略二等分する位置に折目線を形成してもよい。
【００６１】  また、本実施形態の容器本体１２の接着固定領域Ｓを囲む半切り線Ｈを第一本体側板２２に設けているが、本体固定板２５に設けてもよい。
【００６２】  また、本実施形態の蓋体３１の接着固定領域を囲む弱め線を設けてもよい。
【００６３】  また、本実施形態の弱め線は半切り線Ｈで形成しているが、ミシン目で形成してもよい。弱め線は、引っ張り等の力が加えられることにより他の領域と比較して板状部材の破壊が容易となるよう弱められた線状領域となればよい。
【００６４】  また、本実施形態の容器本体１２の第一本体側板２２及び第二本体側板２３は、底板２１に対して外方側に傾斜して起立するテーパー形状であり、蓋体３１の第一蓋側板３３及び第二蓋側板３４は、天板３２から外方側に傾斜して垂下するテーパー形状であるが、ストックする必要がない場合には、容器本体１２の第一本体側板２２及び第二本体側板２３は、底板２１に対して直立させ、或いは、蓋体３１の第一蓋側板３３及び第二蓋側板３４を天板３１から直角に垂下させるように設計してもよい。
【００６５】  また、本実施形態の包装用容器１１は、容器本体１２と、蓋体３１とを別々に設けているが、例えば、容器本体１２の一対の第二本体側板２３のいずれか一方から蓋体を連設して、容器本体と一体に設けてもよい。
【００６６】  本考案の技術的範囲は、本実施形態に限定されるものではなく、本明細書及び図面に記載した事項から明らかになる考案が真に意図する技術的思想の範囲全体に、広く及ぶものである。
【符号の説明】
【００６７】  １１    包装用容器
１２    容器本体
２１    底板
２２    第一本体側板
２３    第二本体側板
２４    ロック片
２５    本体固定板
２５ａ  第一本体固定板
２５ｂ  第二本体固定板
２６    本体開口部
３１    蓋体
３２    天板
３２ａ  窓部
３３    第一蓋体側板
３４    第二蓋体側板
３５    蓋体固定板
３５ａ  縁部
３６    蓋体開口部
３７    ロック受部
４１    折目線
４２    折目線
４３    折目線
４４    折目線
４５    折目線
４６    折目線
５１    折目線
５２    折目線
５３    折目線
Ｓ      接着固定領域
Ｈ      半切り線
【図１】
0003228628.tif 000003
【図２】
0003228628.tif 000004
【図３】
0003228628.tif 000005
【図４】
0003228628.tif 000006
【図５】
0003228628.tif 000007
【図６】
0003228628.tif 000008
【図７】
0003228628.tif 000009